(57)【要約】【課題】吸込効率を低下させることなくプリーツフィルタで捕集した塵埃を効率よく除去できる電気掃除機を提供する。【解決手段】プリーツフィルタ26の周囲に設けた枠体25に、プリーツフィルタ26で捕集した塵埃を落とす塵落とし機構27を、プリーツフィルタ26の位置する範囲外まで移動機構51により移動可能とする。塵落とし機構27が吸い込みの際の負荷にならず、吸込効率を低下させることなくプリーツフィルタ26で捕集した塵埃を塵落とし機構27により効率よく除去できる。【選択図】図１
2007252540.tif 000002
【特許請求の範囲】
【請求項１】
フィルタと、
このフィルタの周囲に設けられた枠体と、
前記フィルタで捕集した塵埃を落とす塵落とし機構と、
前記枠体に設けられ前記フィルタの位置する範囲外まで前記塵落とし機構を移動可能にする移動機構と
を具備したことを特徴とした電気掃除機。
【請求項２】
フィルタは、上下方向のプリーツを有するフィルタであり、
塵落とし機構は、前記フィルタのプリーツ方向に沿って上下に移動可能である
ことを特徴とした請求項１記載の電気掃除機。
【請求項３】
フィルタの範囲外にて塵落とし機構を枠体に係止可能な係止部を具備した
ことを特徴とした請求項１または２記載の電気掃除機。
【請求項４】
電動送風機を収容した掃除機本体と、
この掃除機本体にフィルタおよび枠体を装着した際に、移動機構により塵落とし機構を前記フィルタ範囲外へと移動させる本体移動機構と
を具備したことを特徴とした請求項１ないし３いずれか一記載の電気掃除機。
【発明の詳細な説明】
【技術分野】
【０００１】
本発明は、フィルタで捕集した塵埃を落とす塵落とし機構を備えた電気掃除機に関する。
【背景技術】
【０００２】
従来、この種の電気掃除機は、電動送風機を収容した掃除機本体を備えている。この掃除機本体内には、集塵装置としての集塵カップが着脱可能に設けられている。この集塵カップは、電動送風機の駆動により空気とともに吸い込んだ塵埃を、空気から分離する塵埃分離部と、この塵埃分離部にて分離された塵埃の一部を収容する集塵部とを有するカップ本体と、このカップ本体に着脱可能に設けられ、塵埃分離部を通過した微細な塵埃すなわち微細塵を捕集するフィルタ装置とを有している。
【０００３】
そして、フィルタ装置は、カップ本体へと取り付けるための枠体と、この枠体に保持されたフィルタとしてのプリーツフィルタとを備え、このプリーツフィルタの上流側の面には、プリーツフィルタにて捕集した微細塵を落とす塵落とし機構が設けられている。この塵落とし機構は、両側部が枠体の両側部にてプリーツフィルタのプリーツ方向である上下方向に摺動可能に設けられた保持体と、この保持体に設けられプリーツフィルタの上流側の面に先端が当接するブラシ状の清掃部材とを有している。そして、プリーツフィルタの掃除の際には、この塵落とし機構を上下に動作させることで、プリーツフィルタの上流側面に付着した塵埃が清掃部材により掻き取られる（例えば、特許文献１参照。）。
【特許文献１】特開２００５−２６１５１８号（第４−５頁、図２−３）
【発明の開示】
【発明が解決しようとする課題】
【０００４】
しかしながら、上述の電気掃除機では、塵落とし機構がプリーツフィルタを横断するように設けられているため、電動送風機による吸い込みの際にこの塵落とし機構が風路抵抗となり、吸込効率が低下してしまうという問題点を有している。
【０００５】
本発明は、このような点に鑑みなされたもので、吸込効率を低下させることなくフィルタで捕集した塵埃を効率よく除去できる電気掃除機を提供することを目的とする。
【課題を解決するための手段】
【０００６】
本発明は、フィルタの周囲に設けられた枠体と、フィルタで捕集した塵埃を落とす塵落とし機構と、枠体に設けられフィルタの位置する範囲外まで塵落とし機構を移動可能にする移動機構とを具備したものである。
【発明の効果】
【０００７】
本発明によれば、塵落とし機構を移動機構によりフィルタの位置する範囲外まで移動させることで、塵落とし機構が吸い込みの際の負荷にならず、吸込効率を低下させることなくフィルタで捕集した塵埃を塵落とし機構により効率よく除去できる。
【発明を実施するための最良の形態】
【０００８】
以下、本発明の第１の実施の形態の電気掃除機の構成を図１ないし図５を参照して説明する。
【０００９】
図５に掃除機本体１を示し、この掃除機本体１は、内部に収容された電動送風機２の駆動にて生じる吸込風とともに吸い込んだ塵埃を電気掃除機用集塵装置としての集塵部である集塵カップ３で分離して集塵する電気掃除機であり、被掃除面としての床面上を走行可能である。
【００１０】
そして、掃除機本体１の前部には、電動送風機２の吸込側に格子状の連通孔４を介して連通する集塵室としてのカップ室５が設けられ、このカップ室５の上部に開口された開口６により、集塵カップ３をカップ室５に着脱可能となっている。
【００１１】
また、掃除機本体１の前端部には、カップ室５に連通する本体吸込口７が設けられ、この本体吸込口７には、図示しないホース体が着脱可能に連通接続される。このホース体の先端部には、作業者が把持操作する図示しない手元操作部が設けられ、この手元操作部の先端部には、図示しない延長管および吸込口体としての床ブラシが順次連通接続される。
【００１２】
さらに、掃除機本体１内には、外部電源と接続されて電動送風機２に給電可能にする図示しない電源コードが導出可能に設けられている。
【００１３】
そして、集塵カップ３は、電動送風機２の駆動により空気とともに塵埃を吸い込む吸込口11を前部に備え、後部に排気口12を備えた集塵部本体としてのカップ本体13と、このカップ本体13の排気口12に着脱可能なフィルタ体14とを備えている。
【００１４】
吸込口11は、集塵カップ３をカップ室５に取り付けた状態で本体吸込口７の下流側に連通接続される。
【００１５】
また、排気口12は、集塵カップ３をカップ室５に取り付けた状態で連通孔４に対向して連通接続される。
【００１６】
そして、カップ本体13内には、図４に示すように、吸込口11から吸い込まれた塵埃を空気から分離する図示しない塵埃分離手段と、この塵埃分離手段を通過した細塵を捕集するメッシュ状のメッシュフィルタ16と、塵埃分離手段およびメッシュフィルタ16で分離した塵埃を溜める第１集塵部としての主集塵部17と、この主集塵部17に溜められる塵埃よりも微細な微細塵を溜める第２集塵部としての副集塵部18とがそれぞれ設けられている。
【００１７】
さらに、カップ本体13の下部には、主集塵部17および副集塵部18を同時に開閉可能な蓋体としてのカップ蓋21が設けられている。
【００１８】
塵埃分離手段は、例えば慣性分離、あるいは遠心分離などにより塵埃を空気から分離する部分である。
【００１９】
メッシュフィルタ16は、主集塵部17の下流端を区画するもので、排気口12よりも上流側に位置している。
【００２０】
主集塵部17は、吸込口11および排気口12に連通する空間部であり、カップ本体13の前側に区画されている。
【００２１】
副集塵部18は、主集塵部17よりも後方であるメッシュフィルタ16よりも後方、かつ、排気口12に取り付けられたフィルタ体14の前方から下方に亘って位置している。
【００２２】
カップ蓋21は、カップ本体13の前側上部に設けられた把手部23に設けられた図示しないボタン部を操作することで開成されるように構成されている。
【００２３】
一方、フィルタ体14は、図１ないし図３に示すように、排気口12に嵌合する枠体25と、この枠体25に保持されたフィルタとしてのプリーツフィルタ26と、このプリーツフィルタ26の下流側すなわち後側に位置する塵落とし部としての塵落とし機構27とを有している。
【００２４】
枠体25は、排気口12の内形形状に沿った外形形状を有する板状に形成され、中央部に、フィルタ体14をカップ本体13に取り付けた状態で排気口12に連通する例えば四角形状の開口部31が開口形成され、上流側面である前側面に、開口部31の下部に前方へ向けて下方に傾斜した傾斜面32が形成されているとともに、下流側面である後側面に枠部33が突出形成されている。また、この枠体25の周囲には、排気口12との隙間を閉塞するシール部材としてのパッキン34が取り付けられている。
【００２５】
開口部31には、プリーツフィルタ26が取り付けられている。
【００２６】
傾斜面32は、塵落とし機構27によりプリーツフィルタ26から落とされた塵埃を副集塵部18へと導くものである。
【００２７】
枠部33は、開口部31の両側縁部に沿って直線状に形成された可動軸としての側枠部35，35と、これら側枠部35，35の上端部間に連続した直線状の上枠部36とを有している。
【００２８】
各側枠部35は、下端部が開口部31の下端部よりも下方まで延設され、上端部が開口部31の上端部よりも上方まで延設されている。すなわち、各側枠部35は、プリーツフィルタ26の位置する範囲外である上下方向の外側まで延設され、開口部31の下方および上方に、塵落とし機構27を配置する下部スペースS1および上部スペースS2がそれぞれ形成されている。また、各側枠部35の前側面には、第１係止部としてのクリック受け部である複数の係止凹部38が略等間隔に離間されて設けられている。さらに、各側枠部35の開口部31と反対側の側部すなわち外側部には、下端部から上端部近傍に亘ってガイド溝部39が形成されている。
【００２９】
各スペースS1，S2は、塵落とし機構27の上下寸法以上の上下寸法を有している。
【００３０】
係止凹部38は、断面略円弧状に形成され、少なくとも下部スペースS1の両側方と、上部スペースS2の両側方とにそれぞれ設けられている。
【００３１】
ガイド溝部39は、塵落とし機構27を上下方向に沿ってガイドする部分である。
【００３２】
上枠部36は、開口部31の上端部に対して、塵落とし機構27の上下寸法よりも大きい距離、離間され、上部スペースS2の上端部を区画している。
【００３３】
また、プリーツフィルタ26は、上下方向に沿ってプリーツが形成され、これらプリーツが左右幅方向に複数連続している。
【００３４】
さらに、塵落とし機構27は、両側枠部35，35間に亘って左右方向に直線状に形成された保持体としてのスライド板41と、このスライド板41に左右方向に摺動可能に設けられた塵落とし体としてのスライド部42と、スライド板41を枠体25に対して固定可能な第２係止部としての係止体である板ばね43，43とを有している。
【００３５】
スライド板41は、左右方向に直線状のスライド板本体45と、このスライド板本体45の左右両側部に設けられたガイド嵌合部46とを備えている。
【００３６】
スライド板本体45は、スライド部42に挿通され、このスライド部42を左右方向に案内すなわちガイドする部分である。
【００３７】
各ガイド嵌合部46は、スライド板本体45の枠体25側すなわち前側へと突設された突出部47と、突出部47の先端部から左右幅方向中心側へと突設された係合部48とを有し、平面視でコ字状に形成されている。
【００３８】
各突出部47の上部には、上枠部36の左右両側部に亘って、スライド板41を上方向へと付勢する付勢部材としてのコイルばね49がそれぞれ設けられている。
【００３９】
各係合部48は、各側枠部35のガイド溝部39に嵌合され、スライド板41を両側枠部35，35に沿って上下方向に摺動可能とする部分である。
【００４０】
そして、これらガイド嵌合部46，46と側枠部35，35とにより、プリーツフィルタ26の位置する範囲外まで塵落とし機構27を移動可能にする移動機構51が構成されている。
【００４１】
スライド部42は、スライド板本体45に挿通される筒状のスライド部本体53と、このスライド部本体53の前部すなわちプリーツフィルタ26側に突設された塵落とし突部54と、スライド部本体53の後部に突設されたつまみ部55とを有している。
【００４２】
塵落とし突部54は、先端部が略球面状に形成されており、プリーツフィルタ26の下流側のプリーツ谷部に嵌合し、スライド部42の左右方向への摺動により、プリーツフィルタ26の各プリーツ山部を弾くことでプリーツフィルタ26に振動を与え、このプリーツフィルタ26にて捕集した微細塵を落とす部分である。
【００４３】
各板ばね43は、スライド板41と各側枠部35との間に位置する板ばね本体57と、この板ばね本体57の上端部および下端部から後方へと突設された係合部58，58とを有している。
【００４４】
板ばね本体57は、前方に向けて円弧状に突設されたクリック凸部としての係止凸部61が各側枠部35の係止凹部38に係合可能であり、この係合状態でスライド板41が所定位置で枠体25に係止されるように構成されている。また、この係止凸部61は、係止凹部38から出る際に、各側枠部35の後側面に当接して前後方向に潰れるように弾性変形し、スライド板41の上下方向への摺動により次の係止凹部38に位置した際に復帰変形してこの係止凹部38に係合可能となっている。
【００４５】
そして、この係止凸部61と係止凹部38とにより、プリーツフィルタ26の位置する範囲外にて枠体25に塵落とし機構27を係止可能な係止部63が構成されている。
【００４６】
係合部58は、スライド板41のスライド板本体45の上下部にそれぞれ係合され、このスライド板本体45に対して、係止部材としてのねじ64により固定されている。この結果、各板ばね43がスライド板41に一体的に固定される。
【００４７】
次に、上記一実施の形態の動作を説明する。
【００４８】
掃除の際には、まず、カップ本体13にフィルタ体14を取り付けた集塵カップ３をカップ室５に取り付ける。
【００４９】
このとき、フィルタ体14は、スライド板41をプリーツフィルタ26の位置する範囲外、例えば下部スペースS1、あるいは上部スペースS2に移動させておく。
【００５０】
次いで、掃除機本体１から電源コードを導出してコンセントに接続するとともに、本体吸込口７にホース体、延長管および床ブラシを順次連通接続し、手元操作部を操作することで電動送風機２が駆動される。
【００５１】
この電動送風機２の駆動により塵埃とともに空気が床ブラシの先端から吸い込まれ、この吸い込まれた空気は吸込風となって延長管、ホース体および本体吸込口７を介して集塵カップ３の吸込口11へと吸い込まれる。
【００５２】
この集塵カップ３の塵埃分離部において、塵埃が吸込風から分離されて主集塵部17に溜められるとともに、塵埃分離部で分離しなかった細塵は、吸込風がメッシュフィルタ16を通過する際に、このメッシュフィルタ16に捕集される。
【００５３】
さらに、このメッシュフィルタ16で捕集しなかった微細塵は、吸込風がプリーツフィルタ26を通過する際に、このプリーツフィルタ26により捕集される。
【００５４】
塵埃が除去された吸込風は、集塵カップ３の排気口12および連通孔４を介して電動送風機２の吸込側に吸い込まれ、この電動送風機２を通過して排気風となり、図示しない排気孔から掃除機本体１の外部へと排気される。
【００５５】
掃除が終了すると、手元操作部を操作して電動送風機２の駆動を停止させる。
【００５６】
集塵カップ３の主集塵部17に塵埃が所定量以上溜まった場合には、集塵カップ３をカップ室５から取り外し、つまみ部55をつまんでスライド板41を下方、あるいは上方へとスライドさせてプリーツフィルタ26の位置する範囲へと移動させる。
【００５７】
例えば、スライド板41をプリーツフィルタ26の上方へと移動させた際には、上枠部36と開口部31の上端部との間にスライド板41を位置させ、スライド板41をプリーツフィルタ26の下方へと移動させた際には、開口部31の下端部の下方にスライド板41を位置させる。
【００５８】
このとき、スライド板41は、両側枠部35，35とガイド嵌合部46，46との嵌合により、両側枠部35，35に沿って上下方向すなわちプリーツフィルタ26のプリーツ方向へとガイドされ、各板ばね43の係止凸部61が弾性変形して係止凹部38から外れて両側枠部35，35の端面を摺動して次の係止凹部38にて復帰変形してこの係止凹部38に係合することで、スライド板41が、係止部63により、所定位置でそれぞれ係止される。
【００５９】
そして、スライド部42をスライド板41に沿って左右にスライドさせてプリーツフィルタ26に振動を与え、このプリーツフィルタ26に付着した微細塵をこのプリーツフィルタ26から振り落とす。
【００６０】
この振り落とされた微細塵は、傾斜面32により副集塵室18へと導かれ、この副集塵室18内に溜められる。
【００６１】
そして、把手部23のボタン部を操作することでカップ蓋を開け、主集塵室17および副集塵室18に溜められた塵埃を集塵カップ３の外部へと廃棄する。
【００６２】
この後、カップ蓋21を閉じ、スライド板41をプリーツフィルタ26の位置する範囲外、すなわち下部スペースS1あるいは上部スペースS2へと移動させ、集塵カップ３を再度掃除機本体１のカップ室５へと取り付ける。
【００６３】
上述したように、上記第１の実施の形態によれば、プリーツフィルタ26の周囲に設けた枠体25に、プリーツフィルタ26で捕集した塵埃を落とす塵落とし機構27を、プリーツフィルタ26の位置する範囲外まで移動可能にする移動機構51を設けることで、塵落とし機構27を移動機構51によりプリーツフィルタ26の位置する範囲外まで移動させることにより、塵落とし機構27が吸い込みの際の負荷にならず、吸込効率を低下させることなくプリーツフィルタ26で捕集した塵埃を塵落とし機構27により効率よく除去できる。
【００６４】
また、移動機構51により上下方向に移動させるスライド板41に、左右方向全体に亘ってスライドするスライド部42を設けることで、四角形状のプリーツフィルタ26の下流側の略全面に対してスライド部42を作用させることができるので、例えば枠体25の中央部一箇所のみに塵落とし機構を設けてプリーツフィルタに振動を与える従来の場合と比較して、プリーツフィルタ26を隅々まで掃除できる。
【００６５】
さらに、スライド板41を所定位置で枠体25に係止する係止部63を設けることで、集塵カップ３を掃除などに使用している際に、振動などによりスライド板41がプリーツフィルタ26の位置する範囲内に移動してくることなどを防止できる。
【００６６】
そして、プリーツフィルタ26は、塵落とし機構27により塵落としされた塵埃が再付着しないように、プリーツ形状が上下方向に沿って形成されているため、スライド板41をプリーツ方向に応じて上下方向に移動可能とすることで、塵落とし突部54がプリーツフィルタ26のプリーツ形状と交差してこのプリーツフィルタ26を傷付けることを確実に防止できる。
【００６７】
特に、本実施の形態では、スライド板41が上下方向に移動するため、例えばスライド板41をプリーツフィルタ26の上方に位置させた際に、スライド板41が自重によりプリーツフィルタ26の位置する範囲内に移動しないように、上記係止部63を設けることで、スライド板41がプリーツフィルタ26の位置する範囲内に移動することを確実に防止できる。
【００６８】
さらに、塵落とし機構27は、プリーツフィルタ26の下流側に位置しているので、吸い込まれた塵埃などが塵落とし機構27に付着しにくくなる。
【００６９】
なお、上記第１の実施の形態において、図６に示す第２の実施の形態のように、係止凹部38を、各側枠部35の両側に亘って連続するように切り欠き形成する構成とすることも可能である。
【００７０】
また、図７に示す第３の実施の形態のように、掃除機本体１のカップ室５内の両側部に、本体移動機構としての本体凸部65，65を突設し、集塵カップ３をカップ室５に開口６から取り付けた際に本体凸部65，65がスライド板41の両側下部に当接してこのスライド板41をプリーツフィルタ26に対して相対的に上側へと移動させ、集塵カップ３の取り付け状態でスライド板41がプリーツフィルタ26の範囲外である上部スペースS2（図１）へと移動しているように構成することも可能である。
【００７１】
さらに、集塵カップ３をカップ室５に取り付けた際に、係止部63によるスライド板41の枠体25への係止が開放され、コイルばね49の付勢によりスライド板41がプリーツフィルタ26の位置する範囲外へと移動するように構成してもよい。
【００７２】
そして、係止部63の構成は、凹凸を逆、すなわち各側枠部35側から後方へと係止凸部61を突設し、スライド板41の枠体25側に係止凸部61が係合する係止凹部38を設ける構成などとしてもよい。
【００７３】
また、側枠部35は、プリーツフィルタ26の少なくとも左右いずれかに設ければよい。
【００７４】
さらに、塵落とし機構27は、プリーツフィルタ26の上流側に配設してもよい。
【００７５】
そして、塵落とし機構27としては、振動によりプリーツフィルタ26に捕集した微細塵を落とすもの以外でも、例えばプリーツフィルタ26の上流面から微細塵を掻き取る構成など、他の様々な構成とすることができる。
【００７６】
また、上記各実施の形態では、フィルタをプリーツフィルタ26としたため、塵落とし機構27をプリーツに沿って上下方向に移動させたが、例えば一般的なフィルタである場合などには、塵落とし機構27を左右方向に摺動させるように構成してもよい。
【００７７】
さらに、集塵カップ式の電気掃除機として説明したが、例えば紙パックなどの集塵部により塵埃を捕集する電気掃除機にも適用できることは言うまでもない。
【００７８】
そして、電気掃除機としては、キャニスタ型に限らず、例えば自走式の電気掃除機などでもよく、また、例えば床ブラシが掃除機本体１の下面に直接形成されたアップライト型、あるいはハンディ型などであっても対応させて用いることができる。
【図面の簡単な説明】
【００７９】
【図１】本発明の第１の実施の形態のフィルタ近傍を背面側から示す斜視図である。
【図２】同上電気掃除機を示す平面図である。
【図３】同上電気掃除機の要部を示す縦断面図である。
【図４】同上電気掃除機の集塵部を示す縦断面図である。
【図５】同上電気掃除機を示す分解斜視図である。
【図６】本発明の電気掃除機の第２の実施の形態の移動機構の一部を示す斜視図である。
【図７】本発明の電気掃除機の第３の実施の形態の一部を示す斜視図である。
【符号の説明】
【００８０】
１    掃除機本体
２    電動送風機
25    枠体
26    フィルタとしてのプリーツフィルタ
27    塵落とし機構
51    移動機構
63    係止部
65    本体移動機構としての本体凸部
【図１】
2007252540.tif 000003
【図２】
2007252540.tif 000004
【図３】
2007252540.tif 000005
【図４】
2007252540.tif 000006
【図５】
2007252540.tif 000007
【図６】
2007252540.tif 000008
【図７】
2007252540.tif 000009